(57)【要約】【課題】運転者のステアリングホイールの持ち位置に応じた適切な車輌挙動制御を実行させること。【解決手段】運転者によるステアリングホイール３１の持ち位置を検出する持ち位置検出手段（持ち位置判定手段４２及び持ち位置検出部５８）と、車輌の挙動状態に応じて制御対象（制動力発生装置２０、原動機、操舵装置３０）に対しての挙動安定化の為の制御条件を設定する制御条件設定手段（制動制御条件設定手段４３、出力トルク制御条件設定手段４５、ステアリングギヤ比制御条件設定手段４７）と、を備え、制御条件が運転者によるステアリングホイール３１の持ち位置に応じた適切な車輌挙動制御を可能にする制御条件へと補正されるよう制御条件設定手段を構成すること。【選択図】        図１
2007153115.tif 000002
【特許請求の範囲】
【請求項１】
車輌の挙動状態に応じて制御対象を制御することにより当該車輌の挙動を安定方向へと導く車輌挙動制御装置であって、
運転者によるステアリングホイールの持ち位置を検出する持ち位置検出手段と、前記車輌の挙動状態に応じて前記制御対象に対しての挙動安定化の為の制御条件を設定する制御条件設定手段と、を備え、
前記制御条件設定手段は、運転者による前記ステアリングホイールの持ち位置に応じて前記制御条件を適切な車輌挙動制御が可能な制御条件へと補正させるよう構成したことを特徴とする車輌挙動制御装置。
【請求項２】
前記ステアリングホイールの回転方向を検出するステアリングホイール回転方向検出手段を更に設け、
前記制御条件設定手段は、運転者による前記ステアリングホイールの持ち位置と当該ステアリングホイールの回転方向に応じて前記制御条件を適切な車輌挙動制御が可能な制御条件へと補正させるよう構成したことを特徴とする請求項１記載の車輌挙動制御装置。
【請求項３】
前記制御対象は、前記車輌に制動力を発生させる制動力発生装置，前記車輌の駆動源たる原動機又は前記ステアリングホイールの操舵角度に対する操舵輪の転舵角度のギヤ比を可変制御するステアリングギヤ比可変装置の内の少なくとも１つであることを特徴とした請求項１又は２に記載の車輌挙動制御装置。
【請求項４】
前記制御条件は、前記制御対象に制御を開始させる為の制御開始閾値又は／及び前記制御対象の制御量であることを特徴とした請求項１，２又は３に記載の車輌挙動制御装置。
【請求項５】
前記制御条件設定手段は、前記持ち位置検出手段により運転者が前記ステアリングホイールにおける操舵性の好ましくない位置を持っていると検出した際に前記制御開始閾値を低く補正するよう構成したことを特徴とする請求項４記載の車輌挙動制御装置。
【請求項６】
前記制御条件設定手段は、前記持ち位置検出手段により運転者が前記ステアリングホイールにおける操舵性の好ましくない位置を持っていると検出した際に前記制御量を増加させるよう構成したことを特徴とする請求項４又は５に記載の車輌挙動制御装置。
【請求項７】
前記制御条件設定手段は、前記持ち位置検出手段により運転者が前記ステアリングホイールにおける操舵性の好ましくない位置を持っていると検出した際に前記制御開始閾値を高く補正するよう構成したことを特徴とする請求項４記載の車輌挙動制御装置。
【請求項８】
前記制御条件設定手段は、前記持ち位置検出手段により運転者が前記ステアリングホイールにおける操舵性の好ましくない位置を持っていると検出した際に前記制御量を減少させるよう構成したことを特徴とする請求項４又は５に記載の車輌挙動制御装置。
【発明の詳細な説明】
【技術分野】
【０００１】
本発明は、車輌の急激な挙動変化を抑制させる車輌挙動制御装置に関する。
【背景技術】
【０００２】
従来、車輌がスピン状態やドリフトアウト状態などの好ましくない挙動を示すときに、各車輪の制動力などを調節して車輌の挙動を安定方向へと導くよう制御する車輌挙動制御装置が知られている。例えば、この種の車輌挙動制御装置としては、下記の特許文献１に開示されている。この特許文献１に開示された車輌挙動制御装置は、実際の車輌のヨーレートとスタビリティファクタを考慮した目標ヨーレートとが一致するように制動力を調節して車輌の挙動を安定化させるものである。
【０００３】
【特許文献１】特許第３１７８２７３号公報
【発明の開示】
【発明が解決しようとする課題】
【０００４】
ところで、運転者によるステアリングホイールの持ち位置は必ずしも一定ではなく、その持ち位置の違いによってステアリングホイールの操舵のし易さが異なる。これが為、その持ち位置によっては操舵力や操舵角度が異なるものとなるので、車輌は、その持ち位置如何で異なる挙動を示す。また、厳密に言えば、ステアリングホイールの持ち位置が同じであっても、その操舵方向（押し舵又は引き舵）によって操舵力や操舵角度が異なる場合もある。これが為、操舵性の好ましくない位置を保持しているときには、その際の操舵方向如何で車輌が更に異なる挙動を示す。
【０００５】
ここで、一般的な車輌挙動制御においては、如何様な制御対象を用いて車輌の挙動の安定化を図るものであっても、制御の開始時期を決める制御開始閾値や制御対象の制御量などの制御条件を車輌の挙動に応じて設定する。
【０００６】
しかしながら、従来の車輌挙動制御においては、その制御条件が運転者のステアリングホイールの持ち位置を考慮に入れることなく設定されているので、その持ち位置の善し悪しによって異なる車輌の挙動に対応させた適切な制御を実行することができず、適切に車輌の挙動を安定化方向へと導くことができない可能性がある。そして、一般的な設計、開発の思想を鑑みれば、運転者は当然に操舵性の良い位置を保持する（ステアリングホイールの左右を両手で保持する）ものとして制御条件が設定されると考えられるので、操舵性の好ましくない位置を保持している場合には、適切な車輌挙動制御を行うことができない可能性がある。
【０００７】
そこで、本発明は、かかる従来例の有する不都合を改善し、運転者のステアリングホイールの持ち位置に応じて適切な車輌挙動制御を実行し得る車輌挙動制御装置を提供することを、その目的とする。
【課題を解決するための手段】
【０００８】
上記目的を達成する為、請求項１記載の発明では、車輌の挙動状態に応じて制御対象を制御することにより当該車輌の挙動を安定方向へと導く車輌挙動制御装置において、運転者によるステアリングホイールの持ち位置を検出する持ち位置検出手段と、車輌の挙動状態に応じて制御対象に対しての挙動安定化の為の制御条件を設定する制御条件設定手段と、を備えている。そして、その制御条件設定手段は、運転者によるステアリングホイールの持ち位置に応じて制御条件を適切な車輌挙動制御が可能な制御条件へと補正させるよう構成している。
【０００９】
この請求項１記載の車輌挙動制御装置によれば、ステアリングホイールの持ち位置によって異なる車輌の挙動の変化に適切に対応させた制御条件で車輌挙動制御を実行することができる。
【００１０】
また、上記目的を達成する為、請求項２記載の発明では、ステアリングホイールの回転方向を検出するステアリングホイール回転方向検出手段を更に設け、運転者によるステアリングホイールの持ち位置と当該ステアリングホイールの回転方向に応じて制御条件を適切な車輌挙動制御が可能な制御条件へと補正させるよう制御条件設定手段を構成している。
【００１１】
この請求項２記載の車輌挙動制御装置によれば、ステアリングホイールの持ち位置と操舵方向によって異なる車輌の挙動の変化に適切に対応させた制御条件で車輌挙動制御を実行することができる。
【００１２】
ここで、上述した請求項１又は２に記載の発明における制御対象としては、請求項３記載の発明の如く、車輌に制動力を発生させる制動力発生装置，車輌の駆動源たる原動機又はステアリングホイールの操舵角度に対する操舵輪の転舵角度のギヤ比を可変制御するステアリングギヤ比可変装置の内の少なくとも１つを利用することができる。
【００１３】
また、上述した請求項１，２又は３に記載の発明における制御条件としては、請求項４記載の発明の如く、制御対象に制御を開始させる為の制御開始閾値又は／及び制御対象の制御量が考えられる。
【００１４】
また、上記目的を達成する為、請求項５記載の発明では、上記請求項４記載の車輌挙動制御装置において、持ち位置検出手段により運転者がステアリングホイールにおける操舵性の好ましくない位置を持っていると検出した際に制御開始閾値を低く補正するよう制御条件設定手段を構成している。
【００１５】
この請求項５記載の車輌挙動制御装置によれば、例えば、運転者が操舵性の良い位置に対して操舵力や操舵角度の大きくなる位置を保持している場合、その運転者の操舵操作に伴う車輌の挙動変化は大きくなってしまうが、制御開始閾値を低く設定することによって、操舵性の良い位置を保持しているときよりも早期に制御対象の車輌挙動制御を開始させることができるので、早い段階で車輌の挙動を安定化させることができる。一方、運転者が操舵性の良い位置に対して操舵力や操舵角度の小さくなる位置を保持している場合には、その操舵力や操舵角度が小さい為に、運転者が強引に操舵操作を行って車輌の挙動を更に不安定にさせてしまう虞がある。しかしながら、この請求項５記載の車輌挙動制御装置によれば、早い段階で制御対象の車輌挙動制御を開始させることができるので、早期に車輌の挙動を安定化させることができる。
【００１６】
また、上記目的を達成する為、請求項６記載の発明では、上記請求項４又は５に記載の車輌挙動制御装置において、持ち位置検出手段により運転者がステアリングホイールにおける操舵性の好ましくない位置を持っていると検出した際に制御量を増加させるよう制御条件設定手段を構成している。
【００１７】
この請求項６記載の車輌挙動制御装置によれば、例えば、運転者が操舵性の良い位置に対して操舵力や操舵角度の大きくなる位置を保持している場合、その運転者の操舵操作に伴う車輌の挙動変化は大きくなってしまうが、制御量を増加させることによって、操舵性の良い位置を保持しているときよりも大きい車輌の挙動変化に対応させた適切な制御量で制御対象に制御を実行させて車輌の挙動を安定化させることができる。一方、運転者が操舵性の良い位置に対して操舵力や操舵角度の小さくなる位置を保持している場合には、上述したが如く、運転者の強引な操舵操作で車輌の挙動を更に不安定にさせてしまう虞がある。しかしながら、この請求項６記載の車輌挙動制御装置によれば、運転者の強引な操舵操作に伴い大きく不安定方向へと変化する車輌の挙動を制御対象の制御量の増加により適切に安定方向へと導くことができる。
【００１８】
また、上記目的を達成する為、請求項７記載の発明では、上記請求項４記載の車輌挙動制御装置において、持ち位置検出手段により運転者がステアリングホイールにおける操舵性の好ましくない位置を持っていると検出した際に制御開始閾値を高く補正するよう制御条件設定手段を構成している。
【００１９】
例えば、運転者が操舵性の良い位置に対して操舵力や操舵角度の小さくなる位置を保持している場合には、その運転者の操舵操作に伴う車輌の挙動変化は小さい。従って、この請求項７記載の車輌挙動制御装置によれば、制御開始閾値を高く設定することによって、操舵性の良い位置を保持しているときよりも遅らせて制御対象の車輌挙動制御を開始させることができるので、無用な車輌挙動制御の介入を避けることができる。
【００２０】
また、上記目的を達成する為、請求項８記載の発明では、上記請求項４又は５に記載の車輌挙動制御装置において、持ち位置検出手段により運転者がステアリングホイールにおける操舵性の好ましくない位置を持っていると検出した際に制御量を減少させるよう制御条件設定手段を構成している。
【００２１】
例えば、運転者が操舵性の良い位置に対して操舵力や操舵角度の小さくなる位置を保持している場合には、その運転者の操舵操作に伴う車輌の挙動変化は小さい。従って、この請求項８記載の車輌挙動制御装置によれば、制御量を減少させることによって、過大な制御量での車輌挙動制御を回避することができる。
【発明の効果】
【００２２】
本発明に係る車輌挙動制御装置は、運転者によるステアリングホイールの持ち位置に応じて適切な開始時期に適切な制御量で車輌挙動制御を実行することができる。これが為、この車輌挙動制御装置によれば、ステアリングホイールの持ち位置に応じた適切な車輌の挙動の安定化が可能になる。
【発明を実施するための最良の形態】
【００２３】
以下に、本発明に係る車輌挙動制御装置の実施例を図面に基づいて詳細に説明する。尚、この実施例によりこの発明が限定されるものではない。
【実施例１】
【００２４】
本発明に係る車輌挙動制御装置の実施例１を図１から図３に基づいて説明する。
【００２５】
ここで、本実施例１における車輌挙動制御装置とは、ヨーレートセンサ等の各種センサの検出信号などから車輌の挙動を検知し、その際、その挙動が不安定にならないように制御対象に対してスピンやドリフトアウト等に対する抑制制御を実行させるものである。
【００２６】
例えば、この車輌挙動制御装置の制御対象としては、夫々の車輪に対して個別に制動力を発生させる制動力発生装置、原動機、ステアリングホイールの操舵角度と操舵輪の転舵角度との間のギヤ比を調節するステアリングギヤ比可変装置、操舵輪（前輪）に加えて後輪も転舵させる４輪操舵装置、操舵輪に付与する操舵アシスト力を制御する操舵アシスト制御装置、乗員の操舵操作に拘わらず操舵輪の転舵角度を制御するアクティブ操舵制御装置などが知られており、その夫々が検知された車輌の挙動に応じて制御される。
【００２７】
この車輌挙動制御装置は、制動力発生装置が制御対象の場合には各車輪の制動力を各々調節させてスリップの抑制などを行わせることにより、また、原動機が制御対象の場合にはその出力トルクを低下させて駆動輪に掛かる駆動力を減少させることにより、車輌の挙動の安定化を図る。また、この車輌挙動制御装置は、ステアリングギヤ比可変装置が制御対象の場合にはギヤ比を高ギヤ比側へと変更させて、ステアリングホイールの操舵角度に対する操舵輪の転舵角度を基本状態よりも小さくさせることにより車輌の急激な挙動変化を抑制する。更に、この車輌挙動制御装置は、４輪操舵装置が制御対象の場合には全輪の転舵角度や転舵方向を各々調節させることにより車輌の挙動の安定化を図る。
【００２８】
この車輌挙動制御装置は、そのような夫々の制御対象を別個に制御して車輌の挙動の安定化を図ってもよく、また、その各制御対象の内の少なくとも２つ以上に対する制御を組み合わせて統合制御を行い、車輌の挙動の安定化を図ってもよい。
【００２９】
以下に、本実施例１の車輌挙動制御装置が適用される車輌の一例について図１を用いて説明する。
【００３０】
ここで例示する車輌は、所謂ＦＲ（Ｆｒｏｎｔ  ｅｎｇｉｎｅ  Ｒｅａｒ  ｄｒｉｖｅ）車であって、左右の前輪１０ＦＬ，１０ＦＲを操舵輪とし、左右の後輪１０ＲＬ，１０ＲＲを原動機（図示略）の動力が伝達される駆動輪としたものである。
【００３１】
先ず、本実施例１の車輌においては、その夫々の車輪１０ＦＬ，１０ＦＲ，１０ＲＬ，１０ＲＲの制動力を個別に制御する制動力発生装置２０が設けられている。例えば、本実施例１の制動力発生装置２０は、夫々の車輪１０ＦＬ，１０ＦＲ，１０ＲＬ，１０ＲＲに配設したキャリパーやディスクロータ等からなる制動手段２１ＦＬ，２１ＦＲ，２１ＲＬ，２１ＲＲと、これら各制動手段２１ＦＬ，２１ＦＲ，２１ＲＬ，２１ＲＲのキャリパーに夫々油圧を供給する油圧配管２２ＦＬ，２２ＦＲ，２２ＲＬ，２２ＲＲと、これら各油圧配管２２ＦＬ，２２ＦＲ，２２ＲＬ，２２ＲＲの油圧を制御する油圧制御手段２３と、運転者が制動力発生時に操作するブレーキペダル２４と、運転者によるブレーキペダル２４の踏み込み操作に応じて駆動されるマスタシリンダ２５とを備えている。
【００３２】
ここで、その油圧制御手段２３は、オイルリザーバ，オイルポンプ，夫々の油圧配管２２ＦＬ，２２ＦＲ，２２ＲＬ，２２ＲＲの油圧を各々に増減する為の増減圧制御弁の如き種々の弁装置等を含み構成されている。その本実施例１の増減圧制御弁は、通常時にはマスタシリンダ２５により制御されて各制動手段２１ＦＬ，２１ＦＲ，２１ＲＬ，２１ＲＲにおけるキャリパーの油圧を夫々調節する。一方、この増減圧制御弁は、必要に応じて後述する電子制御装置（ＥＣＵ）４０によりデューティ比制御され、各制動手段２１ＦＬ，２１ＦＲ，２１ＲＬ，２１ＲＲにおけるキャリパーの油圧の調節を夫々に行う。
【００３３】
更に、本実施例１の車輌には、操舵輪（左右の前輪）１０ＦＬ，１０ＦＲを転舵させる操舵装置３０が設けられている。この操舵装置３０は、運転者が操作するステアリングホイール３１と、このステアリングホイール３１に連結されたステアリングシャフト３２と、このステアリングシャフト３２の操舵トルクを操舵輪１０ＦＬ，１０ＦＲ側へと伝達する操舵トルク伝達手段３３及びタイロッド３４Ｌ，３４Ｒとを備えている。
【００３４】
ここで、その操舵トルク伝達手段３３としては、ステアリングシャフト３２の先端に配設されたピニオンギヤ３３ａと当該ピニオンギヤ３３ａに噛み合うラックギヤ３３ｂとで構成された所謂ラック＆ピニオン機構を例示する。この操舵装置３０においては、そのラックギヤ３３ｂの両端に左右のタイロッド３４Ｌ，３４Ｒが連結されており、運転者によるステアリングホイール３１の操舵操作に伴い操舵トルク伝達手段３３を駆動させ、その各タイロッド３４Ｌ，３４Ｒに連結された夫々の操舵輪１０ＦＬ，１０ＦＲをラックギヤ３３ｂの移動と共に転舵させる。
【００３５】
また、この操舵装置３０には、ステアリングホイール３１の操舵角度に対する操舵輪１０ＦＬ，１０ＦＲの転舵角度のギヤ比の調節を行うステアリングギヤ比可変装置３５が設けられている。本実施例１にあっては、ステアリングシャフト３２を入力軸３２ａ，中間軸３２ｂ及び出力軸３２ｃに分割し、ステアリングホイール３１に連結された入力軸３２ａの回転を任意のギヤ比で中間軸３２ｂに伝達する可変ギヤ比アクチュエータ３５ａと、その中間軸３２ｂの回転を固定のギヤ比で出力軸３２ｃに伝達する固定ギヤ比機構３５ｂとによってステアリングギヤ比可変装置３５を構成している。
【００３６】
このステアリングギヤ比可変装置３５は、少なくとも車速がある所定速度を超えた際にその車速に応じて可変ギヤ比アクチュエータ３５ａのギヤ比の変更を行う。具体的には、基本ギヤ比に設定されている所定の車速よりも低速であれば、その基本ギヤ比よりも高い範囲内のギヤ比を選択して設定する。これにより、ステアリングホイール３１の操舵角度に対する操舵輪１０ＦＬ，１０ＦＲの転舵角度が大きくなるので、運転者の操舵量を低減させることができると共に、車輌の回頭性能を向上させることができる。一方、その所定の車速よりも高速であれば、基本ギヤ比よりも低い範囲内のギヤ比を選択して設定する。これにより、ステアリングホイール３１の操舵角度に対する操舵輪１０ＦＬ，１０ＦＲの転舵角度が小さくなるので、高速走行時の走行安定性能を高めることができる。
【００３７】
また更に、本実施例１の車輌には以下の如き各種センサが設けられており、その各種センサの検出信号が電子制御装置（ＥＣＵ）４０に入力される。
【００３８】
例えば、夫々の車輪１０ＦＬ，１０ＦＲ，１０ＲＬ，１０ＲＲには各々の車輪速度を検出する車輪速度センサ５１ＦＬ，５１ＦＲ，５１ＲＬ，５１ＲＲが配設されており、また、ステアリングホイール３１が連結されたステアリングコラム（図示略）にはステアリングホイール３１の操舵角度を検出する操舵角センサ５２が配設されている。また、この車輌には、車輌のヨーレートを検出するヨーレートセンサ５３，車輌のロールレートを検出するロールレートセンサ５４，車輌の前後加速度を検出する前後加速度センサ５５，車輌の横加速度を検出する横加速度センサ５６及び車輌の車速を検出する車速センサ５７が設けられている。
【００３９】
尚、その操舵角センサ５２，ヨーレートセンサ５３及び横加速度センサ５６は、車輌の左旋回方向を正として夫々に操舵角度，ヨーレート及び横加速度を検出する。
【００４０】
ここで、電子制御装置４０は、図示しないが、例えばＣＰＵとＲＯＭとＲＡＭと入出力ポート装置とが双方向性のコモンバスにより互いに接続された一般的な構成のマイクロコンピュータを有するものであり、上述した各種センサの検出信号等に基づいて種々の制御を実行する。
【００４１】
例えば、本実施例１の電子制御装置４０には、その制御機能の１つとして、上述した各種センサの検出信号などに基づいて車輌の挙動を判定する車輌挙動判定手段４１が設けられている。この車輌挙動判定手段４１は、当該技術分野において周知の判定方法により車輌の挙動の判定を行う。そして、この電子制御装置４０は、車輌が好ましからざる動きを示したときに、上述した油圧制御手段２３の増減圧制御弁や原動機、ステアリングギヤ比可変装置３５の可変ギヤ比アクチュエータ３５ａなどの制御対象に対して指示を行い、車輌の挙動を安定方向へと導くべく車輌挙動制御を実行する。
【００４２】
ところで、車輌の挙動が不安定方向へと変化する要因の１つには、運転者によるステアリングホイール３１の操舵操作が挙げられる。例えば、ステアリングホイール３１を急激に操舵することにより車輌に突発的な挙動変化が起こり、車速などの他の要因が絡み合うことで車輌は不安定な挙動を示す。
【００４３】
ここで、運転者によるステアリングホイール３１の持ち位置は運転者毎に様々であり、また、同じ運転者であっても例えば道路状況等の周辺環境や気分に応じてステアリングホイール３１の持ち位置を変える場合がある。そして、そのステアリングホイール３１の持ち位置によって操舵性の善し悪しがあり運転者の操舵操作に影響を与えるので、その持ち位置如何で車輌が異なる挙動を示してしまう。
【００４４】
即ち、ステアリングホイール３１の持ち位置には操舵性の良い位置と操舵性の好ましくない位置とがあり、一般に、ステアリングホイール３１の左右を両手で保持している状態であれば操舵性が良く、ステアリングホイール３１の左右何れか一方を片手で保持している状態やステアリングホイール３１の上下何れか一方を両手又は片手で保持している状態であれば操舵性が好ましくないものとなる。そして、運転者が操舵性の好ましくない位置を持っている場合には、操舵性の良い位置を持っているときと比して操舵力や操舵角度が変化するので、ステアリングホイール３１の持ち位置に応じて車輌の挙動が異なるものとなる。
【００４５】
従って、操舵性の良い位置を基準に設定された制御条件（制御開始閾値や制御量）を用いて制御対象を制御しても、車輌の挙動を適切に安定方向へと導くことができなくなる。
【００４６】
そこで、本実施例１にあっては、運転者によるステアリングホイール３１の持ち位置を検出し、その検出結果に応じて制御対象の制御条件を適切な車輌挙動制御が可能な制御条件へと補正させる。
【００４７】
先ず、本実施例１の車輌には、運転者のステアリングホイール３１の持ち位置を検出する持ち位置検出手段が設けられている。この持ち位置検出手段は、図１に示す持ち位置検出部５８と、この持ち位置検出部５８の検出信号に基づいてステアリングホイール３１の持ち位置を判定する電子制御装置４０の持ち位置判定手段４２により構成される。
【００４８】
例えば、その持ち位置検出部５８としては、運転者がステアリングホイール３１を握った際の電気抵抗の変化を検出する電気抵抗方式のもの、その際の磁力の変化を検出する電磁誘導方式のもの、その際の電気容量の変化を検出する電気容量方式のもの、その際の圧力の変化を電気信号として検出する圧電方式のもの、撮像装置等で実際の持ち位置を撮影する光学方式のものなどが考えられる。
【００４９】
また、その電子制御装置４０には、油圧制御手段２３に対しての制動制御条件を設定する制動制御条件設定手段４３と、その制動制御条件に基づいて油圧制御手段２３を制御する制動制御手段４４とを設けている。ここで、その制動制御条件としては、増減圧制御弁に制動制御を実行させる際の制動制御開始閾値や増減圧制御弁の制御量（各々の制動手段２１ＦＬ，２１ＦＲ，２１ＲＬ，２１ＲＲへの油圧発生量）などがある。
【００５０】
その制動制御条件設定手段４３は、車輌の挙動状態に応じて制動制御条件を設定する一方で、運転者のステアリングホイール３１の持ち位置に応じてその制動制御条件を適切なものへと補正するよう構成されている。
【００５１】
例えば、この制動制御条件設定手段４３は、操舵性の好ましくない位置を保持している場合に、操舵性の良い位置を保持しているときよりも早期に又は遅らせて車輌挙動制御を開始させるよう制動制御開始閾値の補正を行う。また、この制動制御条件設定手段４３は、かかる場合に、操舵性の良い位置を保持しているときよりも大きな又は小さな制御量で車輌挙動制御を実行させるよう増減圧制御弁の制御量の補正を行う。
【００５２】
具体的には、操舵性の良い位置よりも操舵力や操舵角度が大きくなる位置を保持している場合、運転者の操舵操作に伴う車輌の挙動変化が大きくなってしまうので、早期に車輌挙動制御を介入させて早い段階で車輌の挙動を安定化させる為に、制動制御開始閾値を操舵性の良い位置が保持されているときのものよりも低く設定する。また、かかる場合には、その大きな挙動変化を適切に安定方向へと導く為に、増減圧制御弁の制御量を操舵性の良い位置が保持されているときの制御量よりも増加させる（即ち、制動力を操舵性の良い位置が保持されているときよりも増加させる）。ここで、その操舵力などが大きくなる場合とは、例えば、ステアリングホイール３１の操舵力に腕の重力が加わって過大な操舵トルクが入力されてしまうステアリングホイール３１の上側のみを保持している状態のことをいう。
【００５３】
一方、操舵性の良い位置よりも操舵力や操舵角度が小さくなる位置を保持している場合には、運転者の操舵操作に伴う車輌の挙動変化が小さく、その挙動が急激に不安定になる可能性が低いので、無用な車輌挙動制御の介入を避けるべく、制動制御開始閾値を操舵性の良い位置が保持されているときのものよりも高く設定する。また、かかる場合には、車輌の挙動変化が小さいので、過大な制御量での車輌挙動制御を回避すべく、増減圧制御弁の制御量を操舵性の良い位置が保持されているときの制御量よりも減少させる（即ち、制動力を操舵性の良い位置が保持されているときよりも減少させる）。ここで、その操舵力などが小さくなる場合とは、例えば、運転者の腕が胴体等と干渉して操舵操作が妨げられるステアリングホイール３１の下側のみを保持している状態のことをいう。かかる持ち位置においては、腕の重力がステアリングホイール３１の回転の復元トルクとして働くことによっても操舵力などが小さくなってしまう。また、操舵角度が小さくなる場合としては、更に、ステアリングホイール３１の左右何れか一方を片手で保持している状態も含まれる。
【００５４】
ここで、この制動力発生装置２０を制御対象とした際の車輌挙動制御時における対象の車輪（以下、「制御輪」という。）は、以下の如く設定される。
【００５５】
例えば、車輌の挙動がスピンであるときには旋回外側前輪１０ＦＬ（又は１０ＦＲ）が制御輪となり、この制御輪１０ＦＬ（又は１０ＦＲ）に対して制動力を与えることによって、車輌が減速されると共に車輌にスピン抑制方向のヨーモーメントが付与されてスピンが抑制される。また、車輌の挙動がドリフトアウトであるときには左右の後輪１０ＲＬ，１０ＲＲ又は左右の後輪１０ＲＬ，１０ＲＲ及び旋回外側前輪１０ＦＬ（又は１０ＦＲ）が制御輪となり、この制御輪に対して制動力を与えることによって、車輌が減速されると共に車輌に旋回補助方向のヨーモーメントが付与されてドリフトアウトが抑制される。また、車輌の挙動が過剰ロールであるときには左右の後輪１０ＲＬ，１０ＲＲ及び旋回外側前輪１０ＦＬ（又は１０ＦＲ）が制御輪となり、この制御輪１０ＲＬ，１０ＲＲ，１０ＦＬ（又は１０ＦＲ）に対して制動力を与えることによって、車輌が減速されると共に車輌の旋回半径が増大されることにより車輌に作用する遠心力が低減されて車体のロールが抑制される。
【００５６】
更にまた、その電子制御装置４０には、原動機に対しての出力トルク制御条件を設定する出力トルク制御条件設定手段４５と、その出力トルク制御条件に基づいて原動機の出力トルクを制御する出力トルク制御手段４６とを設けている。ここで、その出力トルク制御条件としては、車輌挙動制御時の出力トルク制御を実行させる際の出力トルク制御開始閾値や原動機の制御量（出力トルクの低下量、厳密には、燃料噴射量や吸入空気量、点火時期など）などがある。
【００５７】
その出力トルク制御条件設定手段４５は、上述した制動制御条件設定手段４３と同様に、車輌の挙動状態に応じて出力トルク制御条件を設定する一方で、運転者のステアリングホイール３１の持ち位置に応じてその出力トルク制御条件を適切なものへと補正するよう構成されている。
【００５８】
例えば、この出力トルク制御条件設定手段４５は、操舵性の好ましくない位置を保持している場合に、操舵性の良い位置を保持しているときよりも早期に又は遅らせて車輌挙動制御を開始させるよう出力トルク制御開始閾値の補正を行う。また、この出力トルク制御条件設定手段４５は、かかる場合に、操舵性の良い位置を保持しているときよりも大きな又は小さな制御量で車輌挙動制御を実行させるよう原動機の制御量の補正を行う。
【００５９】
具体的には、操舵性の良い位置よりも操舵力や操舵角度が大きくなる位置を保持している場合、上述した制動制御条件設定手段４３と同様の観点に基づいて早期に車輌挙動制御を介入させるべく、出力トルク制御開始閾値を操舵性の良い位置が保持されているときのものよりも低く設定し、また、大きな挙動変化を適切に安定方向へと導く為に原動機の制御量を操舵性の良い位置が保持されているときの制御量よりも増加させる（即ち、出力トルクを操舵性の良い位置が保持されているときよりも低下させる）。
【００６０】
一方、操舵性の良い位置よりも操舵力や操舵角度が小さくなる位置を保持している場合についても、上述した制動制御条件設定手段４３と同様の観点に基づいて無用な車輌挙動制御の介入を避ける為に、出力トルク制御開始閾値を操舵性の良い位置が保持されているときのものよりも高く補正し、また、原動機の制御量を操舵性の良い位置が保持されているときの制御量よりも減少させる（即ち、出力トルクを操舵性の良い位置が保持されているときよりも低下させない）。
【００６１】
更に、この電子制御装置４０には、ステアリングギヤ比可変装置３５に対してのギヤ比制御条件を設定するステアリングギヤ比制御条件設定手段４７と、そのギヤ比制御条件に基づいてステアリングギヤ比可変装置３５を制御するステアリングギヤ比制御手段４８とを設けている。ここで、そのギヤ比制御条件としては、ギヤ比制御を実行させる際のギヤ比制御開始閾値や可変ギヤ比アクチュエータ３５ａの制御量（可変ギヤ比アクチュエータ３５ａが電動モータなどにより駆動されるものであればモータ出力）などがある。
【００６２】
そのステアリングギヤ比制御条件設定手段４７は、上述した制動制御条件設定手段４３などと同様に、車輌の挙動状態に応じてギヤ比制御条件を設定する一方で、運転者のステアリングホイール３１の持ち位置に応じてそのギヤ比制御条件を適切なものへと補正するよう構成されている。
【００６３】
例えば、このステアリングギヤ比制御条件設定手段４７は、操舵性の好ましくない位置を保持している場合に、操舵性の良い位置を保持しているときよりも早期に又は遅らせて車輌挙動制御を開始させるようギヤ比制御開始閾値の補正を行う。また、このステアリングギヤ比制御条件設定手段４７は、かかる場合に、操舵性の良い位置を保持しているときよりも大きな又は小さな制御量で車輌挙動制御を実行させるよう可変ギヤ比アクチュエータ３５ａの制御量の補正を行う。
【００６４】
具体的には、操舵性の良い位置よりも操舵力や操舵角度が大きくなる位置を保持している場合、操舵角度に対する操舵輪１０ＦＬ，１０ＦＲの転舵角度が大きくなり車輌の挙動を大きく変化させてしまうので、早い段階でギヤ比を高ギヤ比側へと変更させて操舵角度に対する操舵輪１０ＦＬ，１０ＦＲの転舵角度を小さくさせるべく、ギヤ比制御開始閾値を操舵性の良い位置が保持されているときのものよりも低く設定する。また、かかる場合には、その大きな挙動変化を適切に安定方向へと導く為に、可変ギヤ比アクチュエータ３５ａの制御量（モータ出力）を操舵性の良い位置が保持されているときの制御量よりも増加させる（即ち、ギヤ比を操舵性の良い位置が保持されているときのギヤ比よりも高ギヤ比側へと変更させて、操舵角度に対する操舵輪１０ＦＬ，１０ＦＲの転舵角度を小さくする。）。尚、本実施例１にあっては、便宜上、その制御量の増加に伴いギヤ比が高ギヤ比側へと変更されるよう定義する。
【００６５】
一方、操舵性の良い位置よりも操舵力や操舵角度が小さくなる位置を保持している場合については、上述した制動制御条件設定手段４３などと同様の観点に基づいて無用な車輌挙動制御（ギヤ比の可変制御）の介入を避ける為に、ギヤ比制御開始閾値を操舵性の良い位置が保持されているときのものよりも高く設定する。また、かかる場合には、可変ギヤ比アクチュエータ３５ａの制御量を操舵性の良い位置が保持されているときの制御量よりも減少させる。これにより、操舵角度に対する操舵輪１０ＦＬ，１０ＦＲの転舵角度が大きくなるので、ステアリングホイール３１の持ち位置により運転者が操舵角度を大きくすることができなくても、少ない操舵角度で大きな転舵角度を操舵輪１０ＦＬ，１０ＦＲに対して与えることができ、運転者自身の修正舵による車輌の挙動の安定化も可能になる。
【００６６】
ここで、上述した各種制御条件の補正は、補正係数を求めて基準となる制御条件に乗算させるものであってもよく、補正項を求めて基準となる制御条件に加算するものであってもよい。
【００６７】
このように、本実施例１の車輌においては、上述した電子制御装置４０の各手段や各種センサなどにより車輌挙動制御装置が構成される。
【００６８】
以下に、本実施例１の車輌挙動制御装置の動作について図２及び図３のフローチャートに基づき説明する。
【００６９】
先ず、本実施例１の電子制御装置４０は、図２のフローチャートに示す如く、上述した持ち位置判定手段４２により、持ち位置検出部５８の検出信号から運転者のステアリングホイール３１の持ち位置を検出し、その持ち位置がステアリングホイール３１上の一部分に集中しているか否か判定する（ステップＳＴ１）。
【００７０】
ここで、このステップＳＴ１にて肯定判定が為された場合には操舵性の好ましくない持ち位置であることを意味しているので、その持ち位置判定手段４２は、ステアリングホイール３１の左右何れか一方を保持しているか否かの判定を行い（ステップＳＴ２）、否定判定が為されたときはステアリングホイール３１の下側のみを保持しているか否か判定する（ステップＳＴ３）。
【００７１】
そして、そのステップＳＴ２又はステップＳＴ３にて肯定判定が為された場合、電子制御装置４０は、制御対象の制御開始閾値を高くする為の補正量を算出する（ステップＳＴ４）。例えば、その際の補正量としては、補正係数Ｘ１（＞１）又は補正項Ｐ１（＞０）が求められる。この補正量は、ステアリングホイール３１の持ち位置に応じて制御対象毎に予め設定されているものとする。
【００７２】
更に、本実施例１の電子制御装置４０は、制御対象の制御量を減少させる為の補正量を算出する（ステップＳＴ５）。例えば、その際の補正量としては、補正係数Ｙ１（＜１）又は補正項Ｑ１（＜０）が求められる。この補正量についても、ステアリングホイール３１の持ち位置に応じて制御対象毎に予め設定されているものとする。
【００７３】
また、上記ステップＳＴ３にて否定判定が為された場合、電子制御装置４０は、制御対象の制御開始閾値を低くする為の補正量｛例えば、補正係数Ｘ２（＜１）又は補正項Ｐ２（＜０）｝を算出し（ステップＳＴ６）、更に、制御対象の制御量を増加させる為の補正量｛例えば、補正係数Ｙ２（＞１）又は補正項Ｑ２（＞０）｝を算出する（ステップＳＴ７）。この夫々の補正量についても、ステアリングホイール３１の持ち位置に応じて制御対象毎に予め設定されているものとする。
【００７４】
上述した補正量の算出処理は、常時又は所定時間毎に繰り返し実行され、その都度、夫々の補正量が電子制御装置４０の一時記憶装置等に記録されて更新される（ステップＳＴ８）。尚、この補正量の算出処理は、運転者による正確な持ち位置に基づいた補正量を求めさせる為に、ステアリングセンタにおいて実行させることが好ましい。
【００７５】
また、上記ステップＳＴ１にて否定判定が為された場合には、ステアリングホイール３１の左右を両手で保持しているなどのように操舵性の良い持ち位置であることを意味しているので、制御条件の補正は行わない。従って、そのような判定が為された場合には、補正量として補正係数を用いるのであれば補正係数Ｘ，Ｙ（＝１）を算出し、補正量として補正項を用いるのであれば補正項Ｐ，Ｑ（＝０）を算出して（ステップＳＴ９）、電子制御装置４０の一時記憶装置等に記録する。
【００７６】
次に、車輌挙動制御を実行する際の動作について図３のフローチャートに基づき説明する。
【００７７】
先ず、電子制御装置４０は、その車輌挙動判定手段４１により車輌の挙動が安定しているか否か判定し（ステップＳＴ１１）、その挙動が安定していれば再びこのステップＳＴ１１の判定処理を繰り返す。
【００７８】
一方、車輌の挙動が不安定との判定が為された場合、この電子制御装置４０は、その挙動に応じた制御対象の制御条件（制御開始閾値及び制御量）を当該技術分野にて周知の方法により算出する（ステップＳＴ１２）。その際に求められる制御条件は、ステアリングホイール３１の操舵性の良い位置が保持されているときを基準にして設定されたものである。
【００７９】
続いて、この電子制御装置４０は、電子制御装置４０の一時記憶装置等から制御開始閾値及び制御量に対応する夫々の補正量を読み込み、車輌挙動制御時に用いる制御開始閾値と制御量の設定を行う（ステップＳＴ１３）。
【００８０】
そして、この電子制御装置４０は、その設定した制御開始閾値と制御量に基づき制御対象を制御して車輌挙動制御を実行する（ステップＳＴ１４）。
【００８１】
上述した本実施例１の車輌挙動制御装置の制御動作について制御対象毎に具体的に説明する。
【００８２】
先ず、制御対象が制動力発生装置２０である場合について詳述する。
【００８３】
かかる場合、上記ステップＳＴ２又はステップＳＴ３にて肯定判定が為されたときに、制動制御条件設定手段４３は、上記ステップＳＴ４にて増減圧制御弁の制動制御開始閾値が高くなる補正量を算出する。更に、この制動制御条件設定手段４３は、上記ステップＳＴ５にて増減圧制御弁の制御量（油圧発生量）を減少させる補正量を算出する。そして、この制動制御条件設定手段４３は、その夫々の補正量を上記ステップＳＴ８にて電子制御装置４０の一時記憶装置等に記録する。その際、その夫々の補正量は、一時記憶装置等に記録されている制動力発生装置２０に関わるものと置き換えられる。
【００８４】
このような補正量が記録されている場合とは、操舵性の良い位置よりも操舵力や操舵角度が小さくなる位置を運転者が保持している状態を指す。そして、かかる場合に車輌挙動制御が必要とされた際、その制動制御条件設定手段４３は、上記ステップＳＴ１３において、制動制御開始閾値の補正量と上記ステップＳＴ１２で求めた操舵性の良い位置が保持されているときの制動制御開始閾値（以下、「基本制動制御開始閾値」という。）とに基づいて増減圧制御弁の制動制御開始閾値を設定する。この制動制御開始閾値は、その基本制動制御開始閾値よりも高い値のものである。これが為、上記ステップＳＴ１４においては、操舵性の良い位置が保持されているときよりも遅れて車輌挙動制御（制御輪への制動力付与）が実行されるようになるので、無用な車輌挙動制御の介入を回避することができる。
【００８５】
また、そのステップＳＴ１３においては、増減圧制御弁の制御量に対する補正量と上記ステップＳＴ１２で求めた操舵性の良い位置が保持されているときの制御量（以下、「基本制御量」という。）とに基づいて増減圧制御弁の制御量を設定する。この制御量は、その基本制御量よりも小さい値のものである。これが為、上記ステップＳＴ１４においては、増減圧制御弁から制御輪に対して操舵性の良い位置が保持されているときよりも少ない油圧が供給される。従って、その制御輪には、操舵性の良い位置が保持されているときよりも低い制動力が発生し、ステアリングホイール３１の持ち位置に応じた（即ち、小さな車輌の挙動変化に対応させた）適切な車輌挙動制御が実行される。
【００８６】
一方、上記ステップＳＴ３にて否定判定が為されたときには、その制動制御条件設定手段４３により、上記ステップＳＴ６，ＳＴ７にて増減圧制御弁の制動制御開始閾値が低くなる補正量と増減圧制御弁の制御量を増加させる補正量を算出し、一時記憶装置等に記録されているものと置き換える。
【００８７】
このような補正量が記録されている場合とは、操舵性の良い位置よりも操舵力や操舵角度が大きくなる位置を運転者が保持している状態を指す。そして、かかる場合に車輌挙動制御が必要とされた際、その制動制御条件設定手段４３は、上記ステップＳＴ１３において、制動制御開始閾値の補正量と上記ステップＳＴ１２で求めた基本制動制御開始閾値とに基づいて、その基本制動制御開始閾値よりも低い値の増減圧制御弁の制動制御開始閾値を設定する。これが為、上記ステップＳＴ１４においては、操舵性の良い位置が保持されているときよりも早い段階で車輌挙動制御が実行される。従って、この際には、早期に車輌の挙動を安定化させることが可能になる。
【００８８】
また、そのステップＳＴ１３においては、増減圧制御弁の制御量に対する補正量と上記ステップＳＴ１２で求めた基本制御量とに基づいて、その基本制御量よりも大きい値の増減圧制御弁の制御量を設定する。これが為、上記ステップＳＴ１４においては、増減圧制御弁から制御輪に対して操舵性の良い位置が保持されているときよりも大きな油圧が供給される。従って、その制御輪には、操舵性の良い位置が保持されているときよりも高い制動力が発生し、ステアリングホイール３１の持ち位置に応じた（即ち、大きな車輌の挙動変化に対応させた）適切な車輌挙動制御が実行される。
【００８９】
続いて、制御対象が原動機である場合について詳述する。
【００９０】
かかる場合、上記ステップＳＴ２又はステップＳＴ３にて肯定判定が為されたときに、出力トルク制御条件設定手段４５は、上記ステップＳＴ４にて出力トルク制御開始閾値が高くなる補正量を算出する。更に、この出力トルク制御条件設定手段４５は、上記ステップＳＴ５にて原動機の制御量（出力トルクの低下量）を減少させる補正量を算出する。そして、この出力トルク制御条件設定手段４５は、その夫々の補正量を上記ステップＳＴ８にて電子制御装置４０の一時記憶装置等に記録する。その際、その夫々の補正量は、一時記憶装置等に記録されている原動機に関わるものと置き換えられる。
【００９１】
このような補正量が記録されている場合とは、操舵性の良い位置よりも操舵力や操舵角度が小さくなる位置を運転者が保持している状態を指す。そして、かかる場合に車輌挙動制御が必要とされた際、その出力トルク制御条件設定手段４５は、上記ステップＳＴ１３において、出力トルク制御開始閾値の補正量と上記ステップＳＴ１２で求めた操舵性の良い位置が保持されているときの出力トルク制御開始閾値（以下、「基本出力トルク制御開始閾値」という。）とに基づいて、その基本出力トルク制御開始閾値よりも高い値の出力トルク制御開始閾値を設定する。これが為、上記ステップＳＴ１４においては、操舵性の良い位置が保持されているときよりも遅れて車輌挙動制御（出力トルクの低下）が実行されるので、無用な車輌挙動制御の介入を回避することができる。
【００９２】
また、そのステップＳＴ１３においては、原動機の制御量に対する補正量と上記ステップＳＴ１２で求めた基本制御量とに基づいて、その基本制御量よりも小さい値の原動機の制御量を設定する。これが為、上記ステップＳＴ１４においては、原動機の出力トルクの低下量が操舵性の良い位置が保持されているときよりも小さくさせられる。従って、必要以上の駆動力の低下を抑えつつ、ステアリングホイール３１の持ち位置に応じた（即ち、小さな車輌の挙動変化に対応させた）適切な車輌挙動制御が実行される。
【００９３】
一方、上記ステップＳＴ３にて否定判定が為されたときに、その出力トルク制御条件設定手段４５は、上記ステップＳＴ６，ＳＴ７にて、出力トルク制御開始閾値が低くなる補正量と原動機の制御量を増加させる補正量を算出し、一時記憶装置等に記録されているものと置き換える。
【００９４】
このような補正量が記録されている場合とは、操舵性の良い位置よりも操舵力や操舵角度が大きくなる位置を運転者が保持している状態を指す。そして、かかる場合に車輌挙動制御が必要とされた際、その出力トルク制御条件設定手段４５は、上記ステップＳＴ１３において、出力トルク制御開始閾値の補正量と上記ステップＳＴ１２で求めた基本出力トルク制御開始閾値とに基づいて、その基本出力トルク制御開始閾値よりも低い値の出力トルク制御開始閾値を設定する。これが為、上記ステップＳＴ１４においては、操舵性の良い位置が保持されているときよりも早い段階で車輌挙動制御が実行される。従って、この際には、早期に車輌の挙動を安定化させることが可能になる。
【００９５】
また、そのステップＳＴ１３においては、原動機の制御量に対する補正量と上記ステップＳＴ１２で求めた基本制御量とに基づいて、その基本制御量よりも大きい値の原動機の制御量を設定する。これが為、上記ステップＳＴ１４においては、原動機の出力トルクの低下量が操舵性の良い位置が保持されているときよりも大きくさせられる。従って、駆動力が操舵性の良い位置が保持されているときよりも低下するので、ステアリングホイール３１の持ち位置に応じた（即ち、大きな車輌の挙動変化に対応させた）適切な車輌挙動制御が実行される。
【００９６】
続いて、制御対象がステアリングギヤ比可変装置３５である場合について詳述する。
【００９７】
かかる場合、上記ステップＳＴ２又はステップＳＴ３にて肯定判定が為されたときに、ステアリングギヤ比制御条件設定手段４７は、上記ステップＳＴ４にてギヤ比制御開始閾値が高くなる補正量を算出する。更に、このステアリングギヤ比制御条件設定手段４７は、上記ステップＳＴ５にて可変ギヤ比アクチュエータ３５ａの制御量（モータ出力）を減少させる補正量を算出する。そして、このステアリングギヤ比制御条件設定手段４７は、その夫々の補正量を上記ステップＳＴ８にて電子制御装置４０の一時記憶装置等に記録する。その際、その夫々の補正量は、一時記憶装置等に記録されているステアリングギヤ比可変装置３５に関わるものと置き換えられる。
【００９８】
このような補正量が記録されている場合とは、操舵性の良い位置よりも操舵力や操舵角度が小さくなる位置を運転者が保持している状態を指す。そして、かかる場合に車輌挙動制御が必要とされた際、そのステアリングギヤ比制御条件設定手段４７は、上記ステップＳＴ１３において、ギヤ比制御開始閾値の補正量と上記ステップＳＴ１２で求めた操舵性の良い位置が保持されているときのギヤ比制御開始閾値（以下、「基本ギヤ比制御開始閾値」という。）とに基づいて、その基本ギヤ比制御開始閾値よりも高い値のギヤ比制御開始閾値を設定する。これが為、上記ステップＳＴ１４においては、操舵性の良い位置が保持されているときよりも遅れて車輌挙動制御（ギヤ比の高ギヤ比化）が実行されるので、無用な車輌挙動制御の介入を回避することができる。
【００９９】
また、そのステップＳＴ１３においては、可変ギヤ比アクチュエータ３５ａの制御量に対する補正量と上記ステップＳＴ１２で求めた基本制御量とに基づいて、その基本制御量よりも小さい値の可変ギヤ比アクチュエータ３５ａの制御量を設定する。これが為、上記ステップＳＴ１４においては、ギヤ比が操舵性の良い位置が保持されているときのギヤ比よりも低ギヤ比側へと変更される。従って、運転者は少ない操舵角度で大きな転舵角度を操舵輪１０ＦＬ，１０ＦＲに対して与えることができるようになり、運転者自身が修正舵を与えることによって車輌の挙動の安定化を図ることができる。
【０１００】
一方、上記ステップＳＴ３にて否定判定が為されたときに、そのステアリングギヤ比制御条件設定手段４７は、上記ステップＳＴ６，ＳＴ７にて、ギヤ比制御開始閾値が低くなる補正量と可変ギヤ比アクチュエータ３５ａの制御量を増加させる補正量を算出し、一時記憶装置等に記録されているものと置き換える。
【０１０１】
このような補正量が記録されている場合とは、操舵性の良い位置よりも操舵力や操舵角度が大きくなる位置を運転者が保持している状態を指す。そして、かかる場合に車輌挙動制御が必要とされた際、そのステアリングギヤ比制御条件設定手段４７は、上記ステップＳＴ１３において、ギヤ比制御開始閾値の補正量と上記ステップＳＴ１２で求めた基本ギヤ比制御開始閾値とに基づいて、その基本ギヤ比制御開始閾値よりも低い値のギヤ比制御開始閾値を設定する。これが為、上記ステップＳＴ１４においては、操舵性の良い位置が保持されているときよりも早い段階で車輌挙動制御が実行される。従って、この際には、早期に操舵角度に対する操舵輪１０ＦＬ，１０ＦＲの転舵角度を小さくすることができるので、運転者の操舵操作による車輌の挙動の更なる不安定化が回避される。
【０１０２】
また、そのステップＳＴ１３においては、可変ギヤ比アクチュエータ３５ａの制御量に対する補正量と上記ステップＳＴ１２で求めた基本制御量とに基づいて、その基本制御量よりも大きい値の可変ギヤ比アクチュエータ３５ａの制御量を設定する。これが為、上記ステップＳＴ１４においては、ギヤ比が操舵性の良い位置が保持されているときのギヤ比よりも高ギヤ比側へと変更される。従って、操舵角度に対する操舵輪１０ＦＬ，１０ＦＲの転舵角度が操舵性の良い位置が保持されているときよりも小さくなり、運転者の操舵操作による車輌の挙動の更なる不安定化が回避される。
【０１０３】
ここで、上記ステップＳＴ９の補正量が記録されている場合には、制動力発生装置２０が車輌挙動制御の制御対象であれば、電子制御装置４０の制動制御手段４４は、制動制御条件設定手段４３が車輌の挙動状態に応じて設定した制動制御条件を補正することなく、操舵性の良い位置が保持されているときの制動制御開始時期に、操舵性の良い位置が保持されているときの制御量（油圧発生量）で制御輪に対して車輌の挙動状態に応じた制動力を発生させる。また、原動機が制御対象であれば、出力トルク制御手段４６は、出力トルク制御条件設定手段４５が車輌の挙動状態に応じて設定した出力トルク制御条件を補正することなく、操舵性の良い位置が保持されているときの出力トルク制御開始時期に、操舵性の良い位置が保持されているときの制御量で車輌の挙動状態に応じて出力トルクを減少させる。また、ステアリングギヤ比可変装置３５が制御対象であれば、ステアリングギヤ比制御手段４８は、ステアリングギヤ比制御条件設定手段４７が車輌の挙動状態に応じて設定したギヤ比制御条件を補正することなく、操舵性の良い位置が保持されているときのギヤ比制御開始時期に、操舵性の良い位置が保持されているときの制御量で車輌の挙動状態や車速に応じてギヤ比の変更を行う。
【０１０４】
以上示した如く、本実施例１の車輌挙動制御装置は、運転者によるステアリングホイール３１の持ち位置に応じた適切な開始時期に適切な制御量で車輌挙動制御を実行することができる。これが為、この本実施例１の車輌挙動制御装置によれば、ステアリングホイール３１の持ち位置に応じて適切に車輌の挙動を安定化させることが可能になる。
【０１０５】
ところで、上述した本実施例１にあっては、操舵性の良い位置よりも操舵力や操舵角度が小さくなってしまう位置を保持している場合、無用な車輌挙動制御の介入を避けるべく制御開始閾値（制動制御開始閾値、出力トルク制御開始閾値、ギヤ比制御開始閾値）を高く補正している。また、かかる場合には、車輌挙動制御の介入後の挙動変化が必要以上に大きくならないよう制御対象の制御量（増減圧制御弁の制御量、原動機の制御量、可変ギヤ比アクチュエータ３５ａの制御量）を減少させている。
【０１０６】
しかしながら、かかる場合を異なった観点から考察してみると、運転者は修正舵を行うなどして自力で車輌の挙動を修正させ難いので、運転者は強引に操舵操作を行い、車輌の挙動を更に不安定にさせてしまう虞がある。従って、かかる場合には、早い段階で電子制御装置４０による車輌挙動制御を介入させて、早期に車輌の挙動を安定化させることが好ましい、との考えに立つこともできる。また、かかる場合には、その車輌挙動制御を実行させる際に、運転者の強引な操舵操作に伴い大きく不安定方向へと変化する車輌の挙動を適切に安定方向へと導く為、制御対象の制御量を増加することが好ましい、との考えに立つこともできる。
【０１０７】
そこで、制動制御条件設定手段４３，出力トルク制御条件設定手段４５及びステアリングギヤ比制御条件設定手段４７については、かかる場合に制御開始閾値を低く補正すべく構成してもよく、また、制御対象の制御量を増加させるべく構成してもよい。
【実施例２】
【０１０８】
次に、本発明に係る車輌挙動制御装置の実施例２を図４及び図５に基づいて説明する。
【０１０９】
ここで、運転者によるステアリングホイール３１の持ち位置が同じであっても、その操舵方向（即ち、押し舵か引き舵か）によっては運転者の操舵力や操舵角度に違いが生じてしまう。これが為、運転者が操舵性の好ましくない位置を保持しているときには、その際の操舵方向如何で車輌が更に異なる挙動を示してしまう。このことは、特に、片手でステアリングホイール３１を保持しているときに顕著に表れる。例えば、ステアリングホイール３１の左右何れか一方又は上側を片手で保持している場合には、押し舵よりも引き舵の方が腕の重力などにより操舵力や操舵角度が大きくなる。また、ステアリングホイール３１の下側を片手で保持している場合には、引き舵よりも押し舵の方が操舵力や操舵角度が大きくなる。
【０１１０】
従って、本実施例２にあっては、ステアリングホイール３１の操舵方向も考慮して制御対象の制御条件を補正する。
【０１１１】
そこで、本実施例２の車輌には、ステアリングホイール３１の操舵方向を検出するステアリングホイール操舵方向検出手段を設けている。このステアリングホイール操舵方向手段は、ステアリングホイール３１の回転方向を検出するステアリングホイール回転方向検出部と、その検出結果に基づいてステアリングホイール３１の操舵方向を判定する電子制御装置４０の図４に示すステアリングホイール操舵方向判定手段４９とで構成される。例えば、本実施例２にあっては、そのステアリングホイール回転方向検出部として操舵角センサ５２を利用する。
【０１１２】
更に、本実施例２の制動制御条件設定手段４３，出力トルク制御条件設定手段４５及びステアリングギヤ比制御条件設定手段４７は、運転者のステアリングホイール３１の持ち位置と操舵方向に応じて制動制御条件，出力トルク制御条件及びギヤ比制御条件を適切なものへと補正するよう構成されている。
【０１１３】
具体的に、その制動制御条件設定手段４３，出力トルク制御条件設定手段４５及びステアリングギヤ比制御条件設定手段４７は、操舵性の良い位置よりも操舵力や操舵角度が大きくなる位置（ステアリングホイール３１の上側）を保持している場合、実施例１と同様に、制御開始閾値（制動制御開始閾値，出力トルク制御開始閾値及びギヤ比制御開始閾値）を操舵性の良い位置が保持されているときのものよりも低く設定し、また、制御量（増減圧制御弁の制御量，原動機の制御量及び可変ギヤ比アクチュエータ３５ａの制御量）を操舵性の良い位置が保持されているときの制御量よりも増加させる。
【０１１４】
そして、本実施例２の制動制御条件設定手段４３，出力トルク制御条件設定手段４５及びステアリングギヤ比制御条件設定手段４７は、その持ち位置での操舵方向が引き舵の場合には押し舵のときよりも操舵力や操舵角度が大きくなるので、引き舵のときには、押し舵のときよりも更に制御開始閾値（制動制御開始閾値，出力トルク制御開始閾値及びギヤ比制御開始閾値）を低く設定し、また、押し舵のときよりも更に制御量（増減圧制御弁の制御量，原動機の制御量及び可変ギヤ比アクチュエータ３５ａの制御量）を増加させる。
【０１１５】
一方、その制動制御条件設定手段４３，出力トルク制御条件設定手段４５及びステアリングギヤ比制御条件設定手段４７は、操舵性の良い位置よりも操舵力や操舵角度が小さくなる位置（ステアリングホイール３１の左右何れか一方又は下側）を保持している場合、実施例１と同様に、制御開始閾値（制動制御開始閾値，出力トルク制御開始閾値及びギヤ比制御開始閾値）を操舵性の良い位置が保持されているときのものよりも高く設定し、また、制御量（増減圧制御弁の制御量，原動機の制御量及び可変ギヤ比アクチュエータ３５ａの制御量）を操舵性の良い位置が保持されているときの制御量よりも減少させる。
【０１１６】
そして、この制動制御条件設定手段４３，出力トルク制御条件設定手段４５及びステアリングギヤ比制御条件設定手段４７は、その持ち位置がステアリングホイール３１の左右何れか一方で且つ操舵方向が押し舵の場合には引き舵のときよりも操舵力や操舵角度が小さくなるので、押し舵のときには、引き舵のときよりも更に制御開始閾値（制動制御開始閾値，出力トルク制御開始閾値及びギヤ比制御開始閾値）を高く設定し、また、引き舵のときよりも更に制御量（増減圧制御弁の制御量，原動機の制御量及び可変ギヤ比アクチュエータ３５ａの制御量）を減少させる。また、この制動制御条件設定手段４３，出力トルク制御条件設定手段４５及びステアリングギヤ比制御条件設定手段４７は、その持ち位置がステアリングホイール３１の下側で且つ操舵方向が引き舵の場合には押し舵のときよりも操舵力や操舵角度が小さくなるので、引き舵のときには、押し舵のときよりも更に制御開始閾値（制動制御開始閾値，出力トルク制御開始閾値及びギヤ比制御開始閾値）を高く設定し、また、押し舵のときよりも更に制御量（増減圧制御弁の制御量，原動機の制御量及び可変ギヤ比アクチュエータ３５ａの制御量）を減少させる。
【０１１７】
以下に、本実施例２の車輌挙動制御装置の動作について図３及び図５のフローチャートに基づき説明する。
【０１１８】
尚、本実施例２のステップＳＴ１からステップＳＴ３及びステップＳＴ９は、前述した実施例１のステップＳＴ１からステップＳＴ３及びステップＳＴ９と同じであるので、ここでの説明は省略する。また、以下の何れの補正量についても、ステアリングホイール３１の持ち位置に応じて制御対象毎に予め設定されているものとする。
【０１１９】
本実施例２の電子制御装置４０は、図５のフローチャートに示す如く、ステップＳＴ２にてステアリングホイール３１の左右何れか一方を保持していると判定された場合、次に押し舵か否かを判定する（ステップＳＴ２１）。
【０１２０】
そして、そのステップＳＴ２１にて否定判定が為された場合、電子制御装置４０は、制御対象の制御開始閾値を高くする為の補正量｛例えば、補正係数Ｘ１（＞１）又は補正項Ｐ１（＞０）｝を算出する（ステップＳＴ２２）。更に、この電子制御装置４０は、制御対象の制御量を減少させる為の補正量｛例えば、補正係数Ｙ１（＜１）又は補正項Ｑ１（＜０）｝を算出する（ステップＳＴ２３）。
【０１２１】
一方、上記ステップＳＴ２１にて肯定判定が為された場合、電子制御装置４０は、制御対象の制御開始閾値を上記ステップＳＴ２２よりも高くする為の補正量｛例えば、補正係数Ｘ３（＞Ｘ１）又は補正項Ｐ３（＞Ｐ１）｝を算出する（ステップＳＴ２４）。更に、この電子制御装置４０は、制御対象の制御量を上記ステップＳＴ２３よりも減少させる為の補正量｛例えば、補正係数Ｙ３（＜Ｙ１）又は補正項Ｑ３（＜Ｑ１）｝を算出する（ステップＳＴ２５）。
【０１２２】
また、本実施例２の電子制御装置４０は、ステップＳＴ３にてステアリングホイール３１の下側を保持していると判定された場合、次に押し舵か否かを判定する（ステップＳＴ２６）。
【０１２３】
そして、そのステップＳＴ２６にて肯定判定が為された場合、電子制御装置４０は、上記ステップＳＴ２２にて制御対象の制御開始閾値を高くする為の補正量を算出する。更に、この電子制御装置４０は、上記ステップＳＴ２３にて制御対象の制御量を減少させる為の補正量を算出する。
【０１２４】
一方、そのステップＳＴ２６にて否定判定が為された場合、電子制御装置４０は、上記ステップＳＴ２４にて制御対象の制御開始閾値を上記ステップＳＴ２２よりも高くする為の補正量を算出する。更に、この電子制御装置４０は、上記ステップＳＴ２５にて制御対象の制御量を上記ステップＳＴ２３よりも減少させる為の補正量を算出する。
【０１２５】
また、本実施例２の電子制御装置４０は、ステップＳＴ３にてステアリングホイール３１の上側を保持していると判定された場合にも、次に押し舵か否かを判定する（ステップＳＴ２７）。
【０１２６】
そして、そのステップＳＴ２７にて肯定判定が為された場合、電子制御装置４０は、制御対象の制御開始閾値を低くする為の補正量｛例えば、補正係数Ｘ２（＜１）又は補正項Ｐ２（＜０）｝を算出する（ステップＳＴ２８）。更に、この電子制御装置４０は、制御対象の制御量を増加させる為の補正量｛例えば、補正係数Ｙ２（＞１）又は補正項Ｑ２（＞０）｝を算出する（ステップＳＴ２９）。
【０１２７】
一方、そのステップＳＴ２７にて否定判定が為された場合、電子制御装置４０は、制御対象の制御開始閾値を上記ステップＳＴ２８よりも低くする為の補正量｛例えば、補正係数（Ｘ４＜Ｘ２）又は補正項Ｐ４（＜Ｐ２）｝を算出する（ステップＳＴ３０）。更に、この電子制御装置４０は、制御対象の制御量を上記ステップＳＴ２９よりも増加させる為の補正量｛例えば、補正係数Ｙ４（＞Ｙ２）又は補正項Ｑ４（＞Ｑ２）｝を算出する（ステップＳＴ３１）。
【０１２８】
本実施例２にあっても、上記の補正量は算出される度に電子制御装置４０の一時記憶装置等に記録されて更新される（ステップＳＴ３２）。
【０１２９】
ここで、操舵性の良い位置が保持されているときに対しての制御開始閾値の高低の違いによる夫々の制御対象の作用効果、操舵性の良い位置が保持されているときに対しての制御量の増減による夫々の制御対象の作用効果については、前述した実施例１と同様である。従って、以下においては、制御対象が制動力発生装置２０である場合を代表して上述した本実施例２の車輌挙動制御装置の制御動作について具体的に説明する。
【０１３０】
先ず、制御対象が制動力発生装置２０である場合について詳述する。制動制御条件設定手段４３は、求めた補正量を上記ステップＳＴ３２にて電子制御装置４０の一時記憶装置等に記録する際、その補正量を一時記憶装置等に記録されている制動力発生装置２０に関わるものと置き換える。
【０１３１】
かかる場合、上記ステップＳＴ２で肯定判定が為された後上記ステップＳＴ２１にて否定判定が為されたとき（ステアリングホイール３１の左右何れか一方を保持して引き舵が行われている場合）に、制動制御条件設定手段４３は、上記ステップＳＴ２２にて増減圧制御弁の制動制御開始閾値が高くなる補正量を算出する。更に、この制動制御条件設定手段４３は、上記ステップＳＴ２３にて増減圧制御弁の制御量（油圧発生量）を減少させる補正量を算出する。
【０１３２】
そして、かかる場合に車輌挙動制御が必要とされた際、その制動制御条件設定手段４３は、図３のステップＳＴ１３において、制動制御開始閾値の補正量とステップＳＴ１２で求めた基本制動制御開始閾値とに基づいて、その基本制動制御開始閾値よりも高い値の増減圧制御弁の制動制御開始閾値を設定する。これが為、図３のステップＳＴ１４においては、操舵性の良い位置が保持されているときよりも遅れて車輌挙動制御（制御輪への制動力付与）が実行される。
【０１３３】
また、そのステップＳＴ１３においては、増減圧制御弁の制御量に対する補正量とステップＳＴ１２で求めた基本制御量とに基づいて、その基本制御量よりも小さい値の増減圧制御弁の制御量を設定する。これが為、ステップＳＴ１４においては、増減圧制御弁から制御輪に対して操舵性の良い位置が保持されているときよりも少ない油圧が供給される。従って、その制御輪には、操舵性の良い位置が保持されているときよりも低い制動力が発生する。
【０１３４】
一方、上記ステップＳＴ２で肯定判定が為された後上記ステップＳＴ２１にて肯定判定が為されたとき（ステアリングホイール３１の左右何れか一方を保持して押し舵が行われている場合）に、制動制御条件設定手段４３は、上記ステップＳＴ２４にて増減圧制御弁の制動制御開始閾値が上記ステップＳＴ２１で否定判定されたときよりも高くなる補正量を算出する。更に、この制動制御条件設定手段４３は、上記ステップＳＴ２５にて増減圧制御弁の制御量（油圧発生量）を上記ステップＳＴ２１で否定判定されたときよりも減少させる補正量を算出する。
【０１３５】
そして、かかる場合に車輌挙動制御が必要とされた際、その制動制御条件設定手段４３は、ステップＳＴ１３において、制動制御開始閾値の補正量とステップＳＴ１２で求めた基本制動制御開始閾値とに基づいて、その基本制動制御開始閾値よりも高く且つ上記ステップＳＴ２１で否定判定されたときよりも高い値の増減圧制御弁の制動制御開始閾値を設定する。これが為、ステップＳＴ１４においては、引き舵のときよりも更に遅れて車輌挙動制御が実行されるようになる。
【０１３６】
また、そのステップＳＴ１３においては、増減圧制御弁の制御量に対する補正量とステップＳＴ１２で求めた基本制御量とに基づいて、その基本制御量よりも小さく且つ上記ステップＳＴ２１で否定判定されたときよりも小さい値の増減圧制御弁の制御量を設定する。これが為、ステップＳＴ１４においては、増減圧制御弁から制御輪に対して引き舵のときよりも少ない油圧が供給される。従って、その制御輪には、引き舵のときよりも低い制動力が発生する。
【０１３７】
このように、ステアリングホイール３１の左右何れか一方を保持している場合でも、その操舵方向に応じて制動制御開始閾値の上昇代を変えているので、無用な車輌挙動制御の介入をステアリングホイール３１の持ち位置と操舵方向に応じて効果的に回避することができる。また、ステアリングホイール３１の左右何れか一方を保持している場合でも、その操舵方向に応じて増減圧制御弁の制御量の減少代を変えているので、ステアリングホイール３１の持ち位置と操舵方向に応じた適切な車輌挙動制御を実行することができる。
【０１３８】
また、上記ステップＳＴ３で肯定判定が為された後上記ステップＳＴ２６にて肯定判定が為されたとき（ステアリングホイール３１の下側を保持して押し舵が行われている場合）に、制動制御条件設定手段４３は、上記ステップＳＴ２２にて増減圧制御弁の制動制御開始閾値が高くなる補正量を算出し、更に、上記ステップＳＴ２３にて増減圧制御弁の制御量（油圧発生量）を減少させる補正量を算出する。
【０１３９】
そして、かかる場合に車輌挙動制御が必要とされた際、その制動制御条件設定手段４３は、ステップＳＴ１３において基本制動制御開始閾値よりも高い値の増減圧制御弁の制動制御開始閾値を設定する。これが為、ステップＳＴ１４においては、操舵性の良い位置が保持されているときよりも遅れて車輌挙動制御（制御輪への制動力付与）が実行される。
【０１４０】
また、そのステップＳＴ１３においては、基本制御量よりも小さい値の増減圧制御弁の制御量を設定する。これが為、ステップＳＴ１４においては、増減圧制御弁から制御輪に対して操舵性の良い位置が保持されているときよりも少ない油圧が供給される。従って、その制御輪には、操舵性の良い位置が保持されているときよりも低い制動力が発生する。
【０１４１】
一方、上記ステップＳＴ３で肯定判定が為された後上記ステップＳＴ２６にて否定判定が為されたとき（ステアリングホイール３１の下側を保持して引き舵が行われている場合）に、制動制御条件設定手段４３は、上記ステップＳＴ２４にて増減圧制御弁の制動制御開始閾値が上記ステップＳＴ２６で肯定判定されたときよりも高くなる補正量を算出する。更に、この制動制御条件設定手段４３は、上記ステップＳＴ２５にて増減圧制御弁の制御量を上記ステップＳＴ２６で肯定判定されたときよりも減少させる補正量を算出する。
【０１４２】
そして、かかる場合に車輌挙動制御が必要とされた際、その制動制御条件設定手段４３は、ステップＳＴ１３において、基本制動制御開始閾値よりも高く且つ上記ステップＳＴ２６で肯定判定されたときよりも高い値の増減圧制御弁の制動制御開始閾値を設定する。これが為、ステップＳＴ１４においては、押し舵のときよりも更に遅れて車輌挙動制御が実行されるようになる。
【０１４３】
また、そのステップＳＴ１３においては、基本制御量よりも小さく且つ上記ステップＳＴ２６で肯定判定されたときよりも小さい値の増減圧制御弁の制御量を設定する。これが為、ステップＳＴ１４においては、増減圧制御弁から制御輪に対して押し舵のときよりも少ない油圧が供給される。従って、その制御輪には、押し舵のときよりも低い制動力が発生する。
【０１４４】
このように、ステアリングホイール３１の下側を保持している場合でも、その操舵方向に応じて制動制御開始閾値の上昇代を変えているので、無用な車輌挙動制御の介入をステアリングホイール３１の持ち位置と操舵方向に応じて効果的に回避することができる。また、ステアリングホイール３１の下側を保持している場合でも、その操舵方向に応じて増減圧制御弁の制御量の減少代を変えているので、ステアリングホイール３１の持ち位置と操舵方向に応じた適切な車輌挙動制御を実行することができる。
【０１４５】
また、上記ステップＳＴ３で否定判定が為された後上記ステップＳＴ２７にて肯定判定が為されたとき（ステアリングホイール３１の上側を保持して押し舵が行われている場合）に、制動制御条件設定手段４３は、上記ステップＳＴ２８にて増減圧制御弁の制動制御開始閾値が低くなる補正量を算出し、更に、上記ステップＳＴ２９にて増減圧制御弁の制御量（油圧発生量）を増加させる補正量を算出する。
【０１４６】
そして、かかる場合に車輌挙動制御が必要とされた際、その制動制御条件設定手段４３は、ステップＳＴ１３において基本制動制御開始閾値よりも低い値の増減圧制御弁の制動制御開始閾値を設定する。これが為、ステップＳＴ１４においては、操舵性の良い位置が保持されているときよりも早期に車輌挙動制御（制御輪への制動力付与）が実行される。
【０１４７】
また、そのステップＳＴ１３においては、基本制御量よりも大きい値の増減圧制御弁の制御量を設定する。これが為、ステップＳＴ１４においては、増減圧制御弁から制御輪に対して操舵性の良い位置が保持されているときよりも大きな油圧が供給される。従って、その制御輪には、操舵性の良い位置が保持されているときよりも高い制動力が発生する。
【０１４８】
一方、上記ステップＳＴ３で否定判定が為された後上記ステップＳＴ２７にて否定判定が為されたとき（ステアリングホイール３１の上側を保持して引き舵が行われている場合）に、制動制御条件設定手段４３は、上記ステップＳＴ３０にて増減圧制御弁の制動制御開始閾値が上記ステップＳＴ２７で肯定判定されたときよりも高くなる補正量を算出する。更に、この制動制御条件設定手段４３は、上記ステップＳＴ３１にて増減圧制御弁の制御量を上記ステップＳＴ２７で肯定判定されたときよりも増加させる補正量を算出する。
【０１４９】
そして、かかる場合に車輌挙動制御が必要とされた際、その制動制御条件設定手段４３は、ステップＳＴ１３において、基本制動制御開始閾値よりも低く且つ上記ステップＳＴ２７で肯定判定されたときよりも低い値の増減圧制御弁の制動制御開始閾値を設定する。これが為、ステップＳＴ１４においては、押し舵のときよりも更に早い段階で車輌挙動制御が実行されるようになる。
【０１５０】
また、そのステップＳＴ１３においては、基本制御量よりも大きく且つ上記ステップＳＴ２７で肯定判定されたときよりも大きい値の増減圧制御弁の制御量を設定する。これが為、ステップＳＴ１４においては、増減圧制御弁から制御輪に対して押し舵のときよりも大きな油圧が供給される。従って、その制御輪には、押し舵のときよりも高い制動力が発生する。
【０１５１】
このように、ステアリングホイール３１の上側を保持している場合でも、その操舵方向に応じて制動制御開始閾値の下降代を変えているので、車輌挙動制御の早い段階での介入時期をステアリングホイール３１の持ち位置と操舵方向に応じて効果的に設定することができる。また、ステアリングホイール３１の上側を保持している場合でも、その操舵方向に応じて増減圧制御弁の制御量の増加代を変えているので、ステアリングホイール３１の持ち位置と操舵方向に応じた適切な車輌挙動制御を実行することができる。
【０１５２】
以上示した如く、本実施例２の車輌挙動制御装置は、運転者によるステアリングホイール３１の持ち位置とその際の操舵方向に応じた適切な開始時期に適切な制御量で車輌挙動制御を実行することができる。これが為、この本実施例２の車輌挙動制御装置によれば、実施例１のようなステアリングホイール３１の持ち位置だけでなく、その持ち位置での操舵方向をも考慮して適切に車輌の挙動を安定化させることができる。
【産業上の利用可能性】
【０１５３】
以上のように、本発明に係る車輌挙動制御装置は、ステアリングホイールの持ち位置に応じて適切に車輌挙動制御を実行させる技術に適している。
【図面の簡単な説明】
【０１５４】
【図１】本発明に係る車輌挙動制御装置の実施例１の構成と当該車輌制御装置が適用される車輌の構成を示す図である。
【図２】実施例１における車輌挙動制御装置の制御条件に対しての補正量の演算動作を説明するフローチャートである。
【図３】本発明に係る車輌挙動制御装置における車輌挙動制御動作を説明するフローチャートである。
【図４】本発明に係る車輌挙動制御装置の実施例２の構成と当該車輌制御装置が適用される車輌の構成を示す図である。
【図５】実施例２における車輌挙動制御装置の制御条件に対しての補正量の演算動作を説明するフローチャートである。
【符号の説明】
【０１５５】
１０ＦＬ，１０ＦＲ，１０ＲＬ，１０ＲＲ  車輪
２０  制動力発生装置
２１ＦＬ，２１ＦＲ，２１ＲＬ，２１ＲＲ  制動手段
２２ＦＬ，２２ＦＲ，２２ＲＬ，２２ＲＲ  油圧配管
２３  油圧制御手段
３０  操舵装置
３１  ステアリングホイール
３２  ステアリングシャフト
３３  操舵トルク伝達手段
３５  ステアリングギヤ比可変装置
３５ａ  可変ギヤ比アクチュエータ
４０  電子制御装置
４１  車輌挙動判定手段
４２  持ち位置判定手段
４３  制動制御条件設定手段
４４  制動制御手段
４５  出力トルク制御条件設定手段
４６  出力トルク制御手段
４７  ステアリングギヤ比制御条件設定手段
４８  ステアリングギヤ比制御手段
４９  ステアリングホイール操舵方向判定手段
５２  操舵角センサ
５８  持ち位置検出部
【図１】
2007153115.tif 000003
【図２】
2007153115.tif 000004
【図３】
2007153115.tif 000005
【図４】
2007153115.tif 000006
【図５】
2007153115.tif 000007